(57)【特許請求の範囲】
【請求項１】
指が挿入可能なリング部と、
前記リング部の一部に取り付けられた装飾表示部と
を備え、
前記装飾表示部は、
前記リング部に接続された第１板状部材と、
前記第１板状部材と平行に配置された第２板状部材と
から構成されており、
前記第１板状部材と第２板状部材との間には、飲料缶の封止蓋に取り付けられたプルトップが挿入可能な隙間が設けられており、
前記隙間は、リング部が位置する領域の外にある突起部に設けられており、
前記突起部は、前記リング部の前側と後ろ側の両方に存在し、且つ、その両方の前記突起部に前記隙間が形成されていることを特徴とする、指輪。
【請求項２】
前記第２板状部材のうち、前記第１板状部材側の面の端部はテーパー状に形成されていることを特徴とする、請求項１に記載の指輪。
【請求項３】
前記第１板状部材は、前記リング部の一部として連続して形成されていることを特徴とする、請求項１または２に記載の指輪。
【請求項４】
前記第１板状部材と前記第２板状部材との間には、両者を連結する連結部が設けられており、
前記リング部と前記第１板状部材と前記第２板状部材と前記連結部とは、一体の構成で形成されていることを特徴とする、請求項１から３の何れか一つに記載の指輪。
【請求項５】
前記リング部と前記第１板状部材と前記第２板状部材と前記連結部とは、金型に材料を流し込む手法によって、一体の構成で形成されていることを特徴とする、請求項４に記載の指輪。
【請求項６】
前記第２板状部材の上面は、前記装飾表示部の正面であり、且つ、前記指輪のフェイスとなることを特徴とする、請求項１から５の何れか一つに記載の指輪。
【請求項７】
前記装飾表示部の中央には、開口部が形成されていることを特徴とする、請求項１から６の何れか一つに記載の指輪。
【請求項８】
前記装飾表示部における前記第１板状部材と前記第２板状部材とは、前記指輪の上面方向からみて、同一形状を有するように形成されていることを特徴とする、請求項１から７の何れか一つに記載の指輪。
【請求項９】
前記同一形状は、十字形状、ハート形状、星形形状、ひし形形状および渦巻き形状からなる群から選択された形状であることを特徴とする、請求項８に記載の指輪。
【請求項１０】
前記装飾表示部には、ガラスおよび宝石の少なくとも一方からなる装飾品が取り付けられていることを特徴とする、請求項１から９の何れか一つに記載の指輪。
【発明の詳細な説明】
【技術分野】
【０００１】
本発明は、指輪に関し、特に、ジュースやコーヒーなどが入った飲料缶のプルトップをスムーズにオープンできるプルトップオープナーの機能を備えた指輪に関する。
【背景技術】
【０００２】
ジュース、コーラ、コーヒーまたはウーロン茶などが入った飲料缶の缶体には、指を係止して引き上げるプルトップ付きの封止蓋が取り付けられている。このプルトップは、缶の上面版にほぼ密着して取り付けられているので、開蓋に際してユーザーは自らの指先をそのプルトップの下に押し込まなくてはならず、幼児や爪の弱い人にとっては開栓が難しい場合があった。このような開栓を補助する道具として、プルトップオープナーが提案されている（例えば、特許文献１〜７参照）。
【特許文献１】特開２００３−１８２７９６号公報
【特許文献２】実登３０５１００２号公報
【特許文献３】特開２００１−１３９０３０号公報
【特許文献４】実開平５−６８８９８号公報
【特許文献５】特開平９−２５４９７９号公報
【特許文献６】特開平１１−３０１７９１号公報
【特許文献７】特開２００２−３３７９０１号公報
【発明の開示】
【発明が解決しようとする課題】
【０００３】
上記特許文献１〜７に示したプルトップオープナーはそれぞれ特徴があるが、いずれも、プルトップ付きの飲料缶を飲む際に携帯しておかないといけないという欠点がある。すなわち、プルトップオープナーを使用してプルトップを楽な力で開けることができるとしても、その際にプルトップオープナーを持っていないと、その開栓動作を行うことができない。
【０００４】
プルトップ付きの飲料缶（ジュース、コーラ、コーヒーなど）は、屋外の自動販売機、コンビニエンスストアーで購入して、その周辺で飲むことが多いので、自宅にプルトップオープナーがある場合にはそれを使用することはできず、また、そのような飲料缶は、喉が渇いた時点で気軽に購入して飲むことができる点を売り物にしているので、嵩張るプルトップオープナーを自宅を出る時点で持ってでるかどうかはわからない。
【０００５】
本願発明者は、そのようなプルトップオープナーの問題点に気づき、鋭意検討しながら、従来とは異なる視点で、当該問題点の解決を試みた。本発明はかかる点に鑑みてなされたものであり、その主な目的は、携帯性に優れたプルトップオープナーを提供することにある。
【課題を解決するための手段】
【０００６】
本発明に係る指輪は、指が挿入可能なリング部と、前記リング部の一部に取り付けられた装飾表示部とを備え、前記装飾表示部は、前記リング部に接続された第１板状部材と、前記第１板状部材と平行に配置された第２板状部材とから構成されており、前記第１板状部材と第２板状部材との間には、飲料缶の封止蓋に取り付けられたプルトップが挿入可能な隙間が設けられている。
前記第２板状部材のうち、前記第１板状部材側の面の端部はテーパー状に形成されていることが好ましい。
ある好適な実施形態において、前記第１板状部材は、前記リング部の一部として連続して形成されている。
前記装飾表示部における前記第１板状部材と前記第２板状部材とは、前記指輪の上面方向からみて、同一形状を有するように形成されていることが好ましい。
ある好適な実施形態において、前記同一形状は、十字形状、ハート形状、星形形状、ひし形形状および渦巻き形状からなる群から選択された形状である。
【発明の効果】
【０００７】
本発明の指輪によれば、指が挿入可能なリング部の一部に取り付けられた装飾表示部が第１板状部材と第２板状部材とから構成され、前記第１板状部材と第２板状部材との間には、飲料缶の封止蓋に取り付けられたプルトップが挿入可能な隙間が形成されているので、この隙間にプルトップを挿入し、スムーズにプルトップを開栓することができる。本発明は、指が挿入可能なリング部を備えていることにより、すなわち、指輪であることにより、常時、肌身に付けておくことができ、それにより、プルトップ付きの飲料缶を購入後、好きな時点で、スムーズな動作にてプルトップを開けることができ、非常に利便性に優れている。
特に、爪を長く伸ばしてその爪にネールアートをしている女性の場合、爪を傷つけるのをおそれて、プルトップを開けることができないことがあったが、本発明の指輪によれば、その爪に影響を与えることなく、プルトップが挿入可能な隙間を利用して、容易にプルトップを開けることができる。さらに、ネールアートをしている女性は、ポケットやバックに従来のプルトップオープナーを入れている場合でも、爪の損傷をおそれて、そのプルトップオープナーを取り出さない可能性があったが、本発明の構成の場合には、そのような取り出しは不要であり、指に付けている指輪を用いて、すぐにプルトップを開けることができる。
【発明を実施するための最良の形態】
【０００８】
本願発明者は、長く伸ばした爪にネールアートをしている女性がプルトップ付きの飲料缶を開けることが難しい実情を把握し、その解決を図ろうと考えた。現在提案されているプルトップオープナーは、何も器具を用いない場合と比べて、確かに楽な力でプルトップを開けることができるのであるが、飲料缶を飲む時に備えてプルトップオープナーを持ち歩かないといけないという問題があった。
また、プルトップオープナーをポケットやバックに入れていたとしても、長く伸ばした爪にネールアートをしている女性は爪の損傷をおそれて、プルトップを開けるためだけにその器具（プルトップオープナー）を探そうとしない可能性もあった。
そのような中、本願発明者は、従来のプルトップオープナーとは異なる視点で思考を行い、長い爪にネールアートをした人でもその爪の影響が少なくなるポイントを思索し、その結果、指輪にプルトップオープナーの機能を持たせる考えに想到し、本発明に至った。
【０００９】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００１０】
図１および図２を参照しながら、本発明の実施形態に係る指輪１００について説明する。図１は、本実施形態の指輪１００の構成を模式的に示す斜視図である。図２（ａ）は、指輪１００の上面図であり、図２（ｂ）および（ｃ）は、それぞれ、指輪１００の正面図および側面図である。
【００１１】
本実施形態の指輪１００は、指が挿入可能なリング部１０と、リング部１０の一部に取り付けられた装飾表示部２０とから構成されている。装飾表示部２０は、リング部１０に接続された第１板状部材（下部材）２１と、第１板状部材２１と平行に配置された第２板状部材（上部材）２２とから構成されている。そして、第１板状部材２１と第２板状部材２２との間には、飲料缶の封止蓋に取り付けられたプルトップが挿入可能な隙間３０が設けられている。
【００１２】
図示した指輪１００において、第１板状部材２１は、リング部１０の一部として連続して形成されている。また、第１板状部材２１と第２板状部材２２との間には、両者（２１、２２）を連結する連結部２３が設けられている。この連結部２３によって、プルトップが挿入可能な隙間３０の寸法が規定されている。本実施形態では、この連結部２３は、リング部１０の一部から延長した部材として構成されている。
【００１３】
また、本実施形態の構成では、隙間３０にプルトップを挿入しやすいように、第２板状部材２２の端面内側（端部の下側）にテーパー部２５を設けている。より具体的に述べると、図２（ｃ）に示すように、第２板状部材２２のうち、第２板状部材側の面（下面）２２ｂの端部は、テーパー状に形成されている。なお、第１板状部材２１の端面内側（上面）もテーパー状に加工することも可能である。
【００１４】
第２板状部材２２の上面２２ａは、指輪１００の装飾表示部２０の正面となり、すなわち、指輪のフェイスとなる。指輪の上面方向５０からみて、図示した第２板状部材２２の上面２２ａの形状は十字である。また、本実施形態の構成においては、第１板状部材２１と第２板状部材２２とは、指輪１００の上面方向５０からみて、同一形状となるようにしている。このように同一形状とすることによって、プルトップが挿入可能な隙間３０を規定する部位（第１板状部材２１と第２板状部材２２とが対向している部位）が容易に形成されるとともに、ユーザーが指輪１００を上面方向５０からみた場合に、同一の形状（図示した例では、十字）と認識することができる。
【００１５】
また、本実施形態の構成では、隙間３０は、リング部１０が位置する領域の外（すなわち、円環が位置する領域の上または下）にある突起部２７に設けられており、プルトップの把持がより容易となっている。また、リング部１０の前側と後ろ側の両方に突起部２７が存在し、その両方の突起部２７に隙間３０が形成されているので、いずれの方向に指輪１００をはめたとしても、その指輪１００を用いてプルトップを開けることができる。
【００１６】
本実施形態の指輪１００は、金型を用いて作製され、全体が一体の構成で形成されている。指輪１００を構成する材料は、例えば、金属などを挙げることができる。本実施形態では、指輪１００は、例えば、真鍮、銀、金、プラチナなどからなる。また、指輪１００の材質は、樹脂でもよいし、セラミックでもよい。また、複数の材質のものを組み合わせても良いし、表面加工（例えば、エンボス加工など）を施したり、メッキ（例えば、金メッキ）を施しても構わない。
【００１７】
リング部１０は、指が挿入可能な円環状の部材であり、例えば、内周は４０．８ｍｍ（日本サイズ１番、ＩＳＯ／ＪＩＳ近似値４１号）から、６９．１ｍｍ（日本サイズ２８番、ＩＳＯ／ＪＩＳ近似値６９号）にすることができる。
【００１８】
隙間３０の寸法は、プルトップを挿入でき、かつ、そのプルトップを引っ張ることができれば特に限定はされないが、例えば、１６ｍｍから１９ｍｍである。また、隙間３０を規定する第１板状部材２１および第２板状部材２２の厚さは、プルトップを引っ張ることができる強度が確保できれば、特に制限されないが、例えば、２．３ｍｍから３．５ｍｍである。
【００１９】
図示した例の指輪１００では、装飾表示部２０の中央に開口部４０が形成されているが、これはデザイン上の特徴であり、開口部４０が形成されていなくても、指輪１００はプルトップオープナーの機能を備えている。また、装飾表示部２０には、ガラス、宝石など装飾品を取り付けること（埋め込みも含む）ができるし、所定の模様やイニシャルを彫ったり、付けたりすることも可能である。
【００２０】
指輪１００は、鋳造法、手作り、鍛造法などの製造方法を用いて製造することができる。本実施形態では、鋳造法の中でもロストワックス法を用いて指輪１００を製造している。鍛造法（ロストワックス法）は、原型さえ作れば何本でも同じものを複製することができ、大量生産に向いている。なお、本実施形態の指輪１００は、金型に材料を流し込む手法を採用して製造しているが、それに限らず、溶接や、削りだしによって指輪１００を作製してもよい。
【００２１】
次に、図３および図４を参照しながら、本実施形態の指輪１００の他の例を説明する。図３は、指輪１００の斜視図であり、図４（ａ）は、指輪１００の上面図であり、図４（ｂ）および（ｃ）は、それぞれ、指輪１００の正面図および側面図である。
【００２２】
図３および図４に示した指輪１００では、装飾表示部２０がハート型となっている。このハート型の装飾表示部２０にも、指輪１００の前方および後方の両側に隙間３０が形成されており、いずれの方向で指輪１００を指にはめても、プルトップを開けることができる構成となっている。ただし、図４（ｃ）に示すように、ハート型の下側（尖り部位）の方が、その反対側（ハート型の上側）よりも突起部２７が多めに延びており、非対称の形状となっている。
【００２３】
図５および図６は、図３に示した指輪１００を指にはめた状態で、プルトップ７２を開ける動作を表している。
【００２４】
まず、図５に示すように、ユーザーの手８０の一本の指（ここでは、人差し指）８１に指輪１００をはめる。すなわち、指輪１００のリング部１０に指８１を通した状態にする。次いで、指輪１００の隙間３０に、飲料缶７０の封止蓋７１に取り付けられたプルトップ７２を挿入する。
【００２５】
本実施形態の指輪１００を用いてプルトップ７２を開けるとき、ユーザーの手８０の指先または爪８２を使用することがないので、ユーザーの爪８２にネールアート８４が施されている場合でも、爪８２の損傷を気にすることがない。
【００２６】
次に、指輪１００の隙間３０にプルトップ７２を挿入した状態で、手８０又は指８１を引き寄せると、プルトップ７２の一端が封止蓋７１の下に潜り込む。
【００２７】
その後、図６に示すように、引き続き、ユーザの手８０又は指８１を引き寄せると、プルトップ７２による開栓が実行され、飲料缶７０の封止蓋７１の飲み口７４が開く。飲み口７４が開いた後も、指輪１００は指８１に装着されたままであるので、プルトップオープナーの置き場所を考えることなく、飲料缶７０の中身を飲むことができる。
【００２８】
以上説明した通り、本実施形態の指輪１００によると、指８１が挿入可能なリング部１０の一部に取り付けられた装飾表示部２０が第１板状部材２１と第２板状部材２２とから構成され、第１板状部材２１と第２板状部材２２との間にプルトップ７２が挿入可能な隙間３０が形成されているので、この隙間３０にプルトップ７２を挿入し、スムーズにプルトップ７２を開栓することができる。この開栓動作は、指輪１００を用いて行われるので、常時、肌身に付けておくことができ、それにより、プルトップ付きの飲料缶７０を購入後、好きな時点で、スムーズな動作にてプルトップ７２を開けることができ、非常に利便性に優れている。
【００２９】
特に、爪８２を長く伸ばしてその爪にネールアート８４をしている女性の場合、爪を傷つけるのおそれて、プルトップ７２を開けることができないことがあったが、本実施形態の指輪１００によれば、その爪８２に影響を与えることなく、プルトップ７２が挿入可能な隙間３０を利用して、容易にプルトップ７２を開けることができる。さらに、ネールアート８４をしている女性は、ポケットやバックに従来のプルトップオープナーを入れている場合でも、爪８２の損傷をおそれて、そのプルトップオープナーを取り出さない可能性があったが、本実施形態の構成（指輪）の場合には、そのような取り出しは不要であり、指８１に付けている指輪１００を用いて、すぐにプルトップ７２を開けることができる。そして、開栓後も、指輪１００は付けたまま（すなわち、プルトップオープナーを他の所におかずに）、飲料缶７０に入っている飲料を飲むことができる。
【００３０】
以上、本発明を好適な実施形態により説明してきたが、こうした記述は限定事項ではなく、勿論、種々の改変が可能である。例えば、図７から図９に示すような形状を有する指輪１００にすることも可能である。
【００３１】
図７は、星形の装飾表示部２０を備えた指輪１００である。図８は、矩形またはひし形（ダイヤ形）の装飾表示部２０を備えた指輪１００であり、そして、図９は、渦巻き形の装飾表示部２０を備えた指輪１００である。なお、図７〜図９においてリング部１０は省略して示している。
【００３２】
また、隙間３０が設けられた装飾表示部２０であれば、第１板状部材２１と第２板状部材２２とは同じ形状にしたものに限られず、それぞれ、異なる形状のものにしてもよい。また、装飾表示部２０が隙間３０を有しているのであれば、第１板状部材２１および第２板状部材２２にさらの部材（例えば、第３板状部材）を備えつけることも可能である。
【００３３】
なお、飲料缶７０は、プルトップ７２が取り付けられているのであれば、ソフトドリンク飲料（ジュース、コーラ、コーヒーなど）に限らず、アルコール飲料（ビール、酎ハイなど）の飲料缶であっても勿論構わない。また、本実施形態の指輪１００の提供方法は、単体での販売によって提供する他、飲料缶７０とあわせてセットで販売・提供することも可能である。
【００３４】
なお、本発明の実施形態の指輪１００の技術的思想を異にするものであるが、プリトップオープナーに紐の輪が付いたものが、特開２００２−３３７９０１号公報（特許文献７）に開示されている。しかしながら、この公報に開示されているのは、プリトップオープナーの本体に取り付けられたリング状の紐を指で引くことにより、プルトップを開けることを可能にしたものに過ぎず、本実施形態の指輪１００のように、指輪のリング部を指に装着したまま、プルトップを開栓する技術ではない。したがって、本発明の実施形態のものと本質的に異なる技術である。
【産業上の利用可能性】
【００３５】
本発明によれば、スムーズな動作にてプルトップを開けることができる指輪を提供することができる。
【図面の簡単な説明】
【００３６】
【図１】本発明の実施形態に係る指輪１００の構成を示す斜視図である。
【図２】（ａ）は、矢印５０の方向からみた指輪１００の上面図であり、（ｂ）および（ｃ）は、それぞれ、指輪１００の正面図および側面図である。
【図３】本発明の実施形態に係る指輪１００の構成を示す斜視図である。
【図４】（ａ）は、矢印５０の方向からみた指輪１００の上面図であり、（ｂ）および（ｃ）は、それぞれ、指輪１００の正面図および側面図である。
【図５】指輪１００を指にはめた状態でプルトップ７２を開ける動作を説明するための図である。
【図６】指輪１００を指にはめた状態でプルトップ７２を開ける動作を説明するための図である。
【図７】本発明の実施形態に係る指輪１００の改変例を示す斜視図である。
【図８】本発明の実施形態に係る指輪１００の改変例を示す斜視図である。
【図９】本発明の実施形態に係る指輪１００の改変例を示す斜視図である。
【符号の説明】
【００３７】
１０ リング部
２０ 装飾表示部
２１ 第１板状部材（下部材）
２２ 第２板状部材（上部材）
２３ 連結部
２５ テーパー部
２７ 突起部
３０ 隙間
４０ 開口部
５０ 上面方向
７０ 飲料缶
７１ 封止蓋
７２ プルトップ
７４ 飲み口
８０ 手
８１ 指
８２ 爪
８４ ネールアート
１００ 指輪
【要約】
【課題】スムーズな動作にてプルトップを開けることができる指輪を提供する。
【解決手段】指８１が挿入可能なリング部１０と、リング部１０の一部に取り付けられた装飾表示部２０とを備えた指輪１００である。装飾表示部２０は、リング部１０に接続された第１板状部材２１と、第１板状部材２１と平行に配置された第２板状部材２２とから構成され、第１板状部材２１と第２板状部材２２との間には、飲料缶７０の封止蓋７１に取り付けられたプルトップ７２が挿入可能な隙間３０が設けられている。
【選択図】図１【図１】
0004108114.tif 000002
【図２】
0004108114.tif 000003
【図３】
0004108114.tif 000004
【図４】
0004108114.tif 000005
【図５】
0004108114.tif 000006
【図６】
0004108114.tif 000007
【図７】
0004108114.tif 000008
【図８】
0004108114.tif 000009
【図９】
0004108114.tif 000010